(57)【要約】      （修正有）【課題】既存、既設のエアコンのフィルターやファンに付着した殺菌やウイルスの不活性化をオゾンによって行うほか、室内の空気の浄化、消臭を行い、尚且つオゾンガスによる人体等への影響を防止するエアコン後付け用オゾン発生器を提供する。【解決手段】後付け用オゾン発生器は、室内機１のエア吸込口１ａに対応して配置されるオゾン発生部２ｇを備えると共に、エアコンの動作状態を風の有無によって検出し、風が発生しているときのみオゾン発生部からオゾンを発生させるオゾン発生器本体部２と、オゾン発生器本体部を室内機に取り付けるための取付部３とを備える。取付部を、室内機の両側を挟み付ける左右一対の挟み付け部材３ａと、挟み付け部材を左右方向にスライド自在に案内する案内部材とで形成する。【選択図】図１
0003230810.tif 000002
【実用新案登録請求の範囲】
【請求項１】
エアコンの室内機に取り付けて使用するエアコン後付け用オゾン発生器であって、上記室内機のエア吸込口に対応して配置されるオゾン発生部を備えると共に、上記エアコンの動作状態を風の有無によって検出し、風が発生しているときのみ上記のオゾン発生部からオゾンを発生させるオゾン発生器本体部と、このオゾン発生器本体部を上記の室内機に取り付けるための取付部とを備えて形成されていることを特徴とするエアコン後付け用オゾン発生器。
【考案の詳細な説明】
【技術分野】
【０００１】
本考案は、エアコン後付け用オゾン発生器に関し、既設、既存のエアコンであっても本考案によるオゾン発生器を後付けで取り付けることにより、室内機の殺菌や清浄化、そして室内空気の清浄化により細菌やウイルスによる飛沫感染や空気感染の防止に役立ち、尚且つ、オゾンによる人体等への悪影響を防止できるよう形成したエアコン後付け用オゾン発生器に関するものである。
【背景技術】
【０００２】
従来、オゾンで室内雰囲気を清浄化しようとするものとしては、例えば特許文献１に記載されているものがある。
この従来品は、エアコンの室内機にオゾン発生装置が設けられ、発生したオゾンを、エア吹出口から室内に放出し、エアの対流作用を利用して、室内空気の殺菌、消臭を行うものである。
【０００３】
また従来、オゾンの殺菌作用により、車内の臭気成分等を分解除去できるよう形成した車両用空気浄化装置も知られている（例えば特許文献２参照）。
【０００４】
而して、特許文献１、同２に記載の従来品は、エアコンの室内機に、オゾンの発生源等を組み込む構造であった。
換言すると、従来品は、空調温度調整機能にオゾンで室内空気を清浄化する機能を追加した専用品であり、その機能の無い既設、既存のエアコンのフィルターや送風ファンをオゾンで浄化する手段が無かった。
【０００５】
また従来品のオゾン発生器の能力を上げてエアコンの近傍に設置するならば、エアコンからの風があるときは人体に安全とされる０．１ｐｐｍの濃度を保てても、設定温度となって風が停止するとオゾンガスが停留して高濃度となり、更にエアコンはタイマー機能で自動運転停止を行うこともあるから、従来品によるとオゾンガスが人体に害を及ぼす危険があった。
また高濃度のオゾンガスは、その強い酸化力から周囲の金属を錆びさせ、プラスチックの場合は劣化や変色を生じさせる、という問題があった。
【先行技術文献】
【特許文献】
【０００６】
【特許文献１】特開平６−１４３９９９号公報
【特許文献２】特開２００３−３９９４４号公報
【考案の概要】
【考案が解決しようとする課題】
【０００７】
本考案は、このような従来技術の問題点に鑑み、提案されたものである。
従って、本考案の解決しようとする技術的課題は、既存、既設のエアコンのフィルターやファンに付着した殺菌やウイルスの不活性化をオゾンによって行うほか、室内の空気の浄化、消臭を行い、尚且つオゾンガスによる人体等への影響を防止できるよう形成したエアコン後付け用オゾン発生器を提供することにある。
【課題を解決するための手段】
【０００８】
本考案は、上記の課題を解決するため、次のような技術的手段を採る。
即ち、本考案は、図１等に示されるように、エアコンの室内機１に取り付けて使用するエアコン後付け用オゾン発生器であって、上記室内機１のエア吸込口１ａに対応して配置されるオゾン発生部２ｇを備えると共に、上記エアコンの動作状態を風の有無によって検出し、風が発生しているときのみ上記のオゾン発生部２ｇからオゾンを発生させるオゾン発生器本体部２と、このオゾン発生器本体部２を上記の室内機１に取り付けるための取付部３とを備えて形成されていることを特徴とする（請求項１）。
【０００９】
ここで、エアコンとは、エアコンディショナー（空気調節装置）の略称である。これには、屋外機を省略した窓取付型のものも含まれる。
【００１０】
而して、本考案は、図３、図４等に示されるように、上記の取付部３が、室内機１の両側を挟み付ける左右一対の挟み付け部材３ａと、この挟み付け部材３ａを左右方向にスライド自在に案内する案内部材３ｂとで形成されているのが好ましい。
【００１１】
なぜならこれによると、室内機１のサイズが異なる場合でも本考案品を容易に取り付けることができ、使い勝手が良くなるからである。また通例の室内機１は、横型のため、これによると、室内機１を左右から安定した状態で挟み付けることができ、挟み付け作業を容易にできるからである。
【００１２】
また本考案は、図６に示されるように、上記オゾン発生部２ｇのオゾン放出面積が、調節自在に形成されているのが好ましい。
【００１３】
なぜならこれによると、室内機１のエア吸込口１ａの長さが異なる場合でも、柔軟に対応でき、オゾンを効率良く、無駄なく、エア吸込口１ａから室内機１内に導くことができるからである。
【考案の効果】
【００１４】
本考案は、このように形成されているから、エアコンの室内機のフィルターや送風ファンをオゾンによって浄化できるほか、室内空気の浄化や脱臭ができる。
【００１５】
そして、この場合、本考案は、既設、既存のエアコンを利用する点で、オゾンの吹き出し用の送風機などを一掃できるから、これによれば、専用のオゾン殺菌装置を設置する場合に比べ、簡便且つ低コストで、室内空気を、殺菌、清浄化できる。
【００１６】
また本考案は、エアコンの動作状態を風の有無で検出し、風が発生しているときのみオゾンが発生するよう形成されている。
従って、本考案は、オゾンが高濃度化し、高濃度のオゾンが滞留することを防止できるから、これによれば、オゾンが人体等やエアコンの金属部分等に悪影響を及ぼすことなく、室内空気の清浄化を図ることができる。
【図面の簡単な説明】
【００１７】
【図１】本考案の好適な一実施形態を示す使用状態時の斜視図である。
【図２】本考案の使用状態時の正面図である。
【図３】本考案の作用を説明するための正面側から見た要部斜視図である。
【図４】本考案の作用を説明するための背面側から見た要部斜視図である。
【図５】本考案の要部回路図である。
【図６】本考案の他の実施形態を示す、一部を切欠した要部斜視図である。
【考案を実施するための形態】
【００１８】
以下、本考案の好適な一実施形態を、添付図面に従って説明する。
本考案は、図１等に示されるように、エアコンの室内機１に取り付けて使用するエアコン後付け用オゾン発生器である。
【００１９】
本考案は、上記室内機１のエア吸込口１ａに対応して配置されるオゾン発生部２ｇを備えると共に、上記エアコンの動作状態を風の有無によって検出し、風が発生しているときのみ上記のオゾン発生部２ｇからオゾンを発生させるオゾン発生器本体部２と、このオゾン発生器本体部２を上記の室内機に取り付けるための取付部３とを備えて形成されている。
【００２０】
上記の室内機１は、横長状に形成され、エア吸込口１ａは室内機１の形状に合わせ、オゾン発生器本体部２の前面に横長状に形成されている。そのため、上記のオゾン発生部２ｇは、この実施形態では室内機１のエア吸込口１ａに対応して横長状に形成されている。またこのオゾン発生部２ｇは、この実施形態ではケース状に形成され、前面、上面、下面の三面に、多数の通気孔２ｇ１が形成されている。
【００２１】
上記のオゾン発生器本体部２は、この実施形態では図５に示されるように、電源スイッチ２ａやＡＣ／ＤＣ変換回路２ｂ等を備えて形成されている。使用者が、電源スイッチ２ａを入れると、ＡＣ／ＤＣ変換回路２ｂで家庭用コンセントから給電された交流が直流に変換される。２ｃは半導体スイッチであり、２ｄは発振回路、２ｅはオゾン濃度調節摘まみ、２ｆは高圧発生トランスである。そしてオゾン発生部２ｇは、高圧発生トランス２ｆで発生した交番高電圧を空気中に配置した電極で無声放電させることによって、空気中の酸素（Ｏ2）をオゾン（Ｏ3）に励起させるものである。
【００２２】
また２ｈは、風検出回路である。この風検出回路２ｈは、加熱用抵抗器２ｈ１とサーミスタ２ｈ２で構成されている。なお、２ｉは、比較回路である。風の検出は、二本の同じ抵抗値のサーミスタ２ｈ２を、一方は風が当たらないよう、他方は風が当たるように配置し、このサーミスタ２ｈ２の抵抗値の差を検知して行う。
なお風の検出は、この実施形態のような構造には限られず、その他、例えば風が当たる遮蔽板を設けて、その板の角度を検知する方法や赤外線センサーを用いる方法などによって行うのでも良い。
【００２３】
而して、エアコンの室内機１が始動して、風検出回路２ｈが風を検出すると、検出信号が出力される。そして、この検出信号を受けて半導体スイッチ２ｃが入り、発振回路２ｄに給電されてオゾン発生部２ｇからオゾンが発生する。発生したオゾンは、図１に示されるように、室内空気に希釈されながら室内機１のエア吸込口１ａから吸い込まれ、内部のフィルターや送風ファンを通過してそれらに付着した細菌やウイルスを死滅、或いは不活性化させ、それと共に室内機１のエア吹出口１ｂから室内に送られて、室内空気を殺菌、浄化する。
【００２４】
従って、本考案品は、エアコンの室内機１の運転開始を前提とし、風が発生しているときのみオゾンが発生する。それ故、本考案品は、オゾンが高濃度化することを防止できるから、これによれば、オゾンによって人体等が悪影響を受けることを防止できる。またＡＣ／ＤＣ変換回路２ｂ及び比較回路２ｉは極めて消費電力が少ないから、本オゾン発生器の電源スイッチ２ａは常時投入されたままで良く、また本考案によるオゾン発生器本体部２はエアコンの動作に同期して働くから、何ら煩雑さを生じさせることもなく、オゾン濃度に対する安全を確保することができる。
【００２５】
而して、オゾン濃度の調節は、調節摘まみ２ｅを回し、発振回路２ｄに印加する電圧を制御することで行う。
なお、オゾン濃度は、比較回路２ｉの出力を利用し、風量に応じた段階的な制御が可能になるよう構成されるのでも良い。
【００２６】
また上記の取付部３は、この実施形態では図３、図４に示されるように、室内機１の両側を挟み付けるための左右一対の挟み付け部材３ａと、この挟み付け部材３ａを左右方向にスライド自在に案内する案内部材３ｂとで形成されている。
【００２７】
上記の挟み付け部材３ａは、オゾン発生部２ｇを正面から見て、縦向きに配置されている長方形の板片で形成されている。この挟み付け部材３ａは、この実施形態では室内機１の外側面に密着して安定良くしっかりと挟み付けることができるよう、内面に、ゴム片等の柔軟な面状材３ａ１が貼られている。
【００２８】
また挟み付け部材３ａの一方には、ＡＣ電源コード４が接続され、家庭用コンセントから給電可能になるよう形成されている。また挟み付け部材３ａの他方には、電源スイッチ２ａやオゾン濃度調節摘まみ２ｅ等が設けられている。
【００２９】
また挟み付け部材３ａは、適宜位置に予備孔３ａ２が複数開けられている。これは、本考案品を、上例とは左右が逆の仕様に変更可能にし、コンセントの位置や室内機１の取付位置が異なる場合でも、容易に対応できるようにするためである。
【００３０】
上記の案内部材３ｂは、図３、図４に示されるように、挟み付け部材３ａを支持する横向きの腕板３ｂ１と、この腕板３ｂ１を左右方向に案内するガイド板３ｂ２とで形成されている。挟み付け部材３ａは、腕板３ｂ１の先端に、前方に突き出され、ビス５（図３参照）で固定されている。上記のガイド板３ｂ２（図４参照）は、オゾン発生部２ｇの背面に、左右方向に延びて水平状に固定されている。
【００３１】
腕板３ｂ１は、ガイド板３ｂ２の上下の縁と係合し、安定的に左右方向にスライド可能になるよう取り付けられている。また腕板３ｂ１は、その基端側に、案内用スリット６（図４参照）が左右方向に延びて形成されている。
【００３２】
スリット６には、ネジ７の首が係合され、ネジ７はガイド板３ｂ２に固定されている。腕板３ｂ１は、ネジ７が締め付けられることでガイド板３ｂ２に、換言すると、オゾン発生部２ｇに固定されている。
【００３３】
次に本考案の作用を説明する。
【００３４】
先ず、使用者は、室内機１の大きさに合わせ、挟み付け部材３ａを左右方向に移動させ、挟み付け部材３ａを室内機１の側面に押し当てる。次に、使用者は、ネジ７を締め、腕板３ｂ１をガイド板３ｂ２に固定する。この作業を室内機１の両側で行うことにより、オゾン発生器本体部２が、室内機１の上部に、横向きに取り付けられるものである（図１、図２参照）。
【００３５】
次に、室内機１が運転状態で、本考案品の電源スイッチ２ａを入れる。すると、風検出回路２ｈが風を検出し、半導体スイッチ２ｃがオンになり、発振回路２ｄに給電される。
【００３６】
その結果、オゾン発生部２ｇからオゾンが発生し、室内機１のエア吸込口１ａから吸い込まれ、フィルターや送風ファンを通過してそれらに付着している細菌やウイルスを死滅、或いは不活性化させる。またオゾンは、エア吹出口１ｂから室内に送られて、室内空気も殺菌、浄化して、浮遊する細菌等の病原体による飛沫感染や空気感染を防止する。
【００３７】
以上の処において、上例では、室内機１のフィルターの殺菌やウイルス等の微粒子の除去を可能にするため、本考案品が室内機１の上部に取り付けられているが、本考案品の取り付け位置は、これに限定されるものではない。即ち、本考案品は、ルーバー８（図１等参照）の動作に支障を来たすことがないよう配慮し、室内機１の、例えば下側に取り付けられるのでも良い。
【００３８】
また本考案の場合、上記のオゾン発生部２ｇは、図６に示されるように、オゾン放出面積の調節が可能になるよう形成されているのでも良い。この実施形態では、オゾン発生部２ｇが適宜長さのカバー９で覆われ、このカバー９がオゾン発生部２ｇにスライド自在に形成されている。従って、この実施形態の本考案品は、エア吸込口１ａの寸法が短いときは、カバー９を内方に深く移動させ、オゾン放出面積を小さくして使用する。また逆にエア吸込口１ａの寸法が長い場合は、カバー９を外方に移動させ、オゾン放出面積を広くして使用するものである。
【００３９】
この実施形態の本考案品は、このように形成されているから、室内機１（図１等参照）のエア吸込口１ａの左右方向の長さが異なる場合でも、一台の本考案品で柔軟に対応でき、効率良くオゾンを供給できる、という利点がある。
【００４０】
なお本考案品の形状やデザイン、或いは形成材料等は、自由である。また挟み付け部材３ａは、上例のネジ７（図４参照）に代え、例えばバネの作用で室内機１の両側面に、ピッタリと密着可能になるよう形成されているのでも良い。
【符号の説明】
【００４１】
１      室内機
１ａ    エア吸込口
１ｂ    エア吹出口
２      オゾン発生器本体部
２ｇ    オゾン発生部
３      取付部
３ａ    挟み付け部材
３ｂ    案内部材
【図１】
0003230810.tif 000003
【図２】
0003230810.tif 000004
【図３】
0003230810.tif 000005
【図４】
0003230810.tif 000006
【図５】
0003230810.tif 000007
【図６】
0003230810.tif 000008